(57)【特許請求の範囲】
【請求項１】
インクフィルム用の供給側シャフト及び巻取り側シャフトと、これ等シャフトにそれぞれ嵌合する嵌合部とを含むインクフィルムカートリッジであって、
前記嵌合部に設けられ、この嵌合部へ前記シャフトを挿入するためのシャフト挿入口と、
前記シャフト挿入口に取り付けられ、前記シャフト挿入時には挿入方向に弾性変形量の範囲内で変形し、前記シャフト抜去時には抜去方向に弾性変形量を超えて破壊するシャフト支え部と、
を含むことを特徴とするインクフィルムカートリッジ。
【請求項２】
前記シャフト支え部は、前記シャフト挿入口に対向して取り付けられた一対の弾性爪部材からなることを特徴とする請求項１記載のインクフィルムカートリッジ。
【請求項３】
前記一対の弾性爪部材の、前記挿入方向の変形量より前記抜去方向の変形量が大になるよう構成されていることを特徴とする請求項２記載のインクフィルムカートリッジ。
【請求項４】
前記シャフト支え部は、前記嵌合部の少なくとも一つに取り付けられていることを特徴とする請求項１〜３いずれか記載のインクフィルムカートリッジ。
【請求項５】
前記シャフト支え部を囲むように設けられた枠部材を更に含むことを特徴とする請求項１〜４いずれか記載のインクフィルムカートリッジ。
【請求項６】
インクフィルム用の供給側シャフト及び巻取側シャフトと、これ等シャフトにそれぞれ嵌合する嵌合部とを含むインクフィルムカートリッジであって、
前記嵌合部に設けられこの嵌合部へ前記シャフトを挿入するためのシャフト挿入口と、
前記シャフトが前記嵌合部に嵌合されている場合には、前記シャフトを支えるべく、前記シャフト挿入口の両側に互いに対向しかつ前記嵌合部の中心部へ向けて突出して設けられた一対の弾性爪部材とを含み、
前記一対の弾性爪部材は、前記シャフト挿入時には弾性変形量の範囲内で変形し、前記シャフト抜去時にはその根元から破壊するようにしたことを特徴とするインクフィルムカートリッジ。
【発明の詳細な説明】
【０００１】
【発明の属する技術分野】
本発明はインクフィルムカートリッジに関し、特に熱転写方式のファクシミリ装置等に使用されるインクフィルムカートリッジに関するものである。
【０００２】
【従来の技術】
熱転写方式のファクシミリ装置のオプションとして供給されるものとして、インクフィルムがあるが、このインクフィルムはカートリッジに取り付けられた状態で販売されるのが一般的である。図３はこの様なインクフィルムカートリッジの外観斜視図である。
【０００３】
図３を参照すると、インクフィルムカートリッジは、、インクフィルム１と、カートリッジ２と、供給側シャフト５Ｌ，５Ｒと、巻き取り側シャフト６Ｌ，６Ｒとを有している。そして、インクフィルム１は供給側筒３と巻き取り側筒４とに巻かれており、供給側筒３には供給側シャフト５Ｌ，５Ｒが差し込まれている。また、巻き取り側筒４には巻き取り側シャフト６Ｌ，６Ｒが差し込まれている。これ等シャフト５Ｌ，５Ｒ及び６Ｌ，６Ｒの各々はカートリッジ２の所定位置に嵌合されて取り付けられている。
【０００４】
【発明が解決しようとする課題】
この様に、ファクシミリ装置のオプションとして供給されるインクフィルムは図３に示したカートリッジに取り付けられた状態で市販されるが、使い終わったインクフィルムカートリッジは廃棄されることになる。この場合、部品によってそれぞれ材料が異なっているために、地球環境であるエコロジーの観点からも、これ等部品の分別廃棄をなすことが望まれている。しかしながら、従来のこの種のインクフィルムカートリッジは、ユーザが分解して部品の分別廃棄をすることが困難となっている。
【０００５】
そこで、本発明の目的は、組み立て時には組み立てが容易にでき、かつ廃棄時には容易に分解できるようにして、できるだけ部品の分別廃棄を可能としたインクフィルムカートリッジを提供することである。
【０００６】
【課題を解決するための手段】
本発明によれば、インクフィルム用の供給側シャフト及び巻取り側シャフトと、これ等シャフトにそれぞれ嵌合する嵌合部とを含むインクフィルムカートリッジであって、前記嵌合部に設けられ、この嵌合部へ前記シャフトを挿入するためのシャフト挿入口と、前記シャフト挿入口に取り付けられ、前記シャフト挿入時には挿入方向に弾性変形量の範囲内で変形し、前記シャフト抜去時には抜去方向に弾性変形量を超えて破壊するシャフト支え部とを含むことを特徴とするインクフィルムカートリッジが得られる。
【０００７】
好ましくは、前記シャフト支え部は、前記シャフト挿入口に対向して取り付けられた一対の弾性爪部材からなることを特徴としている。そして、前記一対の弾性爪部材の、前記挿入方向の変形量より前記抜去方向の変形量が大になるよう構成されていることを特徴としている。更に、前記シャフト支え部を囲むように設けられた枠部材を更に含むことを特徴としている。
また、本発明によれば、インクフィルム用の供給側シャフト及び巻取側シャフトと、これ等シャフトにそれぞれ嵌合する嵌合部とを含むインクフィルムカートリッジであって、前記嵌合部に設けられこの嵌合部へ前記シャフトを挿入するためのシャフト挿入口と、前記シャフトが前記嵌合部に嵌合されている場合には、前記シャフトを支えるべく、前記シャフト挿入口の両側に互いに対向しかつ前記嵌合部の中心部へ向けて突出して設けられた一対の弾性爪部材とを含み、前記一対の弾性爪部材は、前記シャフト挿入時には弾性変形量の範囲内で変形し、前記シャフト抜去時にはその根元から破壊するようにしたことを特徴とするインクフィルムカートリッジが得られる。
【０００８】
本発明の作用を述べる。本発明では、カートリッジ本体と、フィルム供給側または／及び巻き取り側のシャフトとの分解を容易にすると共に、カートリッジ組み立て時にもこれ等両者の組み立てを容易にするようにしたものであり、カートリッジ本体とシャフトとの嵌合部のシャフト挿入口に、シャフト挿入時には挿入方向に弾性変形の範囲内で変形し、シャフト抜去時には抜去方向に弾性変形の範囲を超えて変形するシャフト支え用爪を設けた構造である。
【０００９】
こうすることにより、シャフトをカートリッジ本体のシャフト嵌合部に挿入するときには（組み立て時には）、シャフト支え用爪が挿入方向に弾性変形するので、容易にシャフトをシャフト嵌合部に挿入できる。一方、カートリッジを廃棄するときには（分解時には）、シャフト支え用爪がシャフト抜去方向に弾性変形を超えて変形して破壊するようになるので、シャフト挿入時よりも、やや強い力を加えるだけで、シャフトがカートリッジ本体から容易に抜去でき、シャフトとカートリッジ本体との分離が可能になる。
【００１０】
【発明の実施の形態】
以下に、本発明の実施例について図面を参照して説明する。図１は本発明の実施例の一部を示す図であり、（Ａ）〜（Ｃ）はシャフト６をカートリッジ本体２の嵌合部１０に挿入組み立てる場合の構造の変化を、時間の経過と共に示した図であり、（Ｃ）〜（Ｅ）はシャフト６をカートリッジ本体２の嵌合部１０から抜去して分解する場合の構造の変化を、時間の経過と共に示した図である。
【００１１】
なお、図１において、図３と同等部分は同一符号をもって示しており、本例では、巻き取り側シャフト６についてのみ示しているが、シャフト６Ｌ，６Ｒ及び５Ｌ，５Ｒの全てに同様の構造が適用できる他、少くとも１つのシャフトに適用しても良いものである。
【００１２】
図１（Ａ）を参照すると、カートリッジ２の所定箇所には、シャフト６を挿入嵌合するための嵌合部１０が設けられており、この嵌合部１０に対してシャフト６を挿入及び抜去するためにシャフト挿入口が、この嵌合部１０に設けられている。このシャフト挿入口には、シャフト６を嵌合部１０へ挿入嵌合したときに、シャフト６が下方へずり落ちるのを防止するために、シャフト支持用の一対の弾性爪部材１０ａ，１０ｂが取り付けられている。
【００１３】
この一対の弾性爪部材１０ａ，１０ｂはシャフト６を嵌合部１０へ挿入するときの挿入方向（図１（Ｂ）の上向きの矢印方向）には、弾性変形量の範囲内で変形する様に構成されている。また、シャフト６を嵌合部１０から抜去するときの抜去方向（図１（Ｃ）の下向きの矢印方向）には、弾性変形量を超える変形をなす様に、一対の弾性爪部材１０ａ，１０ｂは構成されている。
【００１４】
この様な構成において、カートリッジ２にシャフト６を嵌合する場合には、図１（Ｂ）に示す如く、一対の弾性爪部材１０ａ，１０ｂがシャフト挿入方向の押圧力によりたわみ（弾性変形し）、シャフト６をカートリッジ２のシャフト嵌合部１０へ、容易に挿入することができる。シャフト６が所定位置まで挿入されると、一対の弾性爪部材１０ａ，１０ｂは元の状態に復元し、図１（Ｃ）に示す如く、シャフト６が下方向に落下しないように支える機能を有することになる。
【００１５】
インクフィルムが全て使用されたときにインクフィルムカートリッジを廃棄する必要があるが、シャフトとカートリッジ本体とを分離して、部品の分別廃棄を行うために、図１（Ｄ）に示す如く、シャフト６を押し下げることにより、一対の弾性爪部材１０ａ，１０ｂが下側に変形する。更にシャフトを押し下げると、図１（Ｅ）に示すように、一対の弾性爪部材１０ａ，１０ｂが弾性変形の範囲を超えてその根元部分が破壊され、シャフト６は容易に取り外しが可能となるのである。
【００１６】
図２は本発明の他の実施例の一部を示す図であり、図１と同等部分は同一符号により示している。本例においては、図１の構造の他に、更にシャフト嵌合部１０のシャフト挿入口に取り付けられたシャフト支え部である一対の弾性爪部材１０ａ，１０ｂを囲むように、枠部材２１が設けられている。他の構造は図１の例と同一であり、その説明は省略する。
【００１７】
本例においては、この枠部材２１を設けることにより、シャフト６の取り付け時には（図２（Ａ））この枠部材２１を用いて簡易的な位置決めが可能であり、またシャフト６の取り外し時には（図２（Ｂ））、ストッパーの役目を果すことになって、ユーザの作業時の容易性や安全性が向上することになる。
【００１８】
【発明の効果】
以上述べた様に、本発明によれば、カートリッジ本体におけるシャフト挿入口に、一対の弾性爪部材を設け、シャフト挿入時にはこの爪部材が弾性変形し、シャフト抜去時には弾性変形の範囲を超えて変形破壊するようにしたので、シャフトとカートリッジ本体の組み立てが容易になりかつ分解も容易となるという効果がある。
【図面の簡単な説明】
【図１】本発明の一実施例の構造の一部を示す図であり、シャフト挿入とシャフト抜去時との、時間的経過順に示した図である。
【図２】本発明の他の実施例の構造の一部を示す図である。
【図３】インクフィルムカートリッジの構造を示す斜視図である。
【符号の説明】
１              インクフィルム
２              カートリッジ
３              供給側筒
４              巻き取り側筒
５Ｌ，５Ｒ      供給側シャフト
６Ｌ，６Ｒ      巻き取り側シャフト
１０            シャフト嵌合部
１０ａ，１０ｂ  一対の弾性爪部材
２１            枠部材
【図１】
0003747009.tif 000002
【図２】
0003747009.tif 000003
【図３】
0003747009.tif 000004